(57)【要約】【課題】有効伝熱面積が大きい全熱交換素子を有し、熱交換効率が高く、省エネルギー化を図って地球温暖化を防ぐ全熱交換器を提供することを目的とする。【解決手段】熱交換仕切膜１と仕切膜１に固着された流路形成部材２とから成る熱交換部材20を複数枚積層して、仕切膜１を隔てて給気側と排気側の２つの気流を流通させると共に、仕切膜１を介して２つの気流の顕熱及び潜熱を熱交換させる対向流型のものである。流路形成部材２は、仕切膜１の外縁に沿って配設されるフレーム部材３と、２つのフレーム部材３，３間に所定間隔でもって配設されると共にフレーム部材３よりも小さい幅寸法Ｄ4 の細リブ材４とから成る。さらに、仕切膜１のうち流路形成部材２が当接する部分を除いた面積の、仕切膜１の面積に対する面積比率を、70％以上、95％以下に設定した。【選択図】図４
2008070070.tif 000002
【特許請求の範囲】
【請求項１】
仕切膜（１）と該仕切膜（１）に固着された流路形成部材（２）とから成る熱交換部材（20）を複数枚積層して、該仕切膜（１）を隔てて給気側と排気側の２つの気流を流通させると共に、該仕切膜（１）を介して該２つの気流の顕熱及び潜熱を熱交換させる対向流型全熱交換器に於て、
該流路形成部材（２）は、該仕切膜（１）の外縁に沿って配設されるフレーム部材（３）と、２つの該フレーム部材（３)(３）間に所定間隔でもって配設されると共に該フレーム部材（３）よりも小さい幅寸法（Ｄ4 ）の細リブ材（４）とから成り、
さらに、上記仕切膜（１）のうち上記流路形成部材（２）が当接する部分を除いた面積（Ｓ1 ）の、該仕切膜（１）の面積（Ｓ0 ）に対する面積比率（Ｅ）を、70％以上、95％以下に設定したことを特徴とする全熱交換器。
【請求項２】
上記細リブ材（４）は、開口端（５)(６）まで端部（７ａ）が延伸する長寸部材（７）と、該開口端（５)(６）より内方に端部（８ａ）が設けられた短寸部材（８）と、を有して、隣り合う細リブ材（４)(４）によって形成される風路幅（Ｗ0 ）よりも大きい拡大流路部（９）を上記開口端（５)(６）に設け、上記面積比率（Ｅ）を75％以上、95％以下に設定した請求項１記載の全熱交換器。
【請求項３】
上記熱交換部材（20）は、給気流路（10）が形成される第１熱交換部材（20Ａ）と、排気流路（11）が形成される第２熱交換部材（20Ｂ）と、を有し、
さらに、該第１熱交換部材（20Ａ）と該第２熱交換部材（20Ｂ）とは、上記流路形成部材（２）の厚さ寸法（Ｈ1 )(Ｈ2 ）を相違させた請求項１又は２記載の全熱交換器。
【請求項４】
給気側の気流を発生させる給気送風機（12）と、排気側の気流を発生させる排気送風機（13）と、を備え、
上記給気送風機（12）を上記給気流路（10）の下流側に配設すると共に上記排気送風機（13）を上記排気流路（11）の下流側に配設して両吸込方式とし、
さらに、上記第１熱交換部材（20Ａ）の上記流路形成部材（２）の厚さ寸法（Ｈ1 ）を、上記第２熱交換部材（20Ｂ）の厚さ寸法（Ｈ2 ）よりも低く設定した請求項３記載の全熱交換器。
【請求項５】
給気側の気流を発生させる給気送風機（12）と、排気側の気流を発生させる排気送風機（13）と、を備え、
上記給気送風機（12）を上記給気流路（10）の下流側に配設すると共に上記排気送風機（13）を上記排気流路（11）の下流側に配設して両吸込方式とし、
さらに、上記第１熱交換部材（20Ａ）の上記流路形成部材（２）の厚さ寸法（Ｈ1 ）を、上記第２熱交換部材（20Ｂ）の厚さ寸法（Ｈ2 ）よりも高く設定した請求項３記載の全熱交換器。
【発明の詳細な説明】
【技術分野】
【０００１】
本発明は、全熱交換器に関するものである。
【背景技術】
【０００２】
近年、冷暖房効果を高めるために居住空間の高断熱化・高気密化が進むにつれて、室内空気の汚染が問題となり、換気の重要性が再認識されてきている。冷暖房効果を損なわずに換気を行う方法として、給気と排気の間で熱交換する方法が有効であり、温度（顕熱）と共に湿度（潜熱）の交換も同時に行うことができればその効果は著しく大きい。そこで、この要求に応えるために、従来より、給気と排気を仕切板を介して全熱交換させる直交流型全熱交換素子を有する全熱交換器が知られている（例えば、特許文献１参照）。
この直交流型全熱交換素子は、図12に示したように、平板状の熱交換板（仕切膜41）と波形の流路形成部材42を貼り合わせた熱交換部材43を交互に積層する際に、上下に隣り合う流路形成部材42の波形の方向を直交させて、給気流路と排気流路が平面視において直交するように形成される。そして、例えば、冬期に、戸外の冷たい乾燥空気を室内へ給気し、室内の温かい高湿度空気を戸外へ排気すると、仕切膜41を介して、顕熱と潜熱の交換が行われ、給気は温められると共に加湿されて、室内に送られる。一方、排気は冷やされると共に減湿されて、戸外に送られる。
【特許文献１】特公昭４７−１９９９０号公報
【発明の開示】
【発明が解決しようとする課題】
【０００３】
近年、環境問題において、地球温暖化の原因物質である二酸化炭素の排出量を削減するためにはさらなる冷暖房エネルギーの削減が必要であり、全熱交換素子の省エネ効果を高めるためには、従来には50〜60％の全熱交換効率を、70％以上に改善することが要求される。しかし、特許文献１の全熱交換器の直交流型全熱交換素子では、仕切膜と流路形成部材の接着部分は、顕熱の伝熱は有効であるが、潜熱の伝熱（水蒸気の透過）は無効であり、しかも、直交流型全熱交換素子は、対向流型全熱交換素子よりも原理的に熱交換効率が低いため、全熱交換効率は50〜60％程度が限界である。
【０００４】
そこで、本発明は、有効伝熱面積が大きい全熱交換素子を有し、熱交換効率が高く、省エネルギー化を図って地球温暖化を防止する全熱交換器を提供することを目的とする。
【課題を解決するための手段】
【０００５】
上記目的を達成するために、本発明に係る全熱交換器は、仕切膜と該仕切膜に固着された流路形成部材とから成る熱交換部材を複数枚積層して、該仕切膜を隔てて給気側と排気側の２つの気流を流通させると共に、該仕切膜を介して該２つの気流の顕熱及び潜熱を熱交換させる対向流型全熱交換器に於て、該流路形成部材は、該仕切膜の外縁に沿って配設されるフレーム部材と、２つの該フレーム部材間に所定間隔でもって配設されると共に該フレーム部材よりも小さい幅寸法の細リブ材とから成り、さらに、上記仕切膜のうち上記流路形成部材が当接する部分を除いた面積の、該仕切膜の面積に対する面積比率を、70％以上、95％以下に設定したものである。
【０００６】
また、上記細リブ材は、開口端まで端部が延伸する長寸部材と、該開口端より内方に端部が設けられた短寸部材と、を有して、隣り合う細リブ材によって形成される風路幅よりも大きい拡大流路部を上記開口端に設け、上記面積比率を75％以上、95％以下に設定した。
【０００７】
また、上記熱交換部材は、給気流路が形成される第１熱交換部材と、排気流路が形成される第２熱交換部材と、を有し、さらに、該第１熱交換部材と該第２熱交換部材とは、上記流路形成部材の厚さ寸法を相違させた。
そして、給気側の気流を発生させる給気送風機と、排気側の気流を発生させる排気送風機と、を備え、上記給気送風機を上記給気流路の下流側に配設すると共に上記排気送風機を上記排気流路の下流側に配設して両吸込方式とし、さらに、上記第１熱交換部材の上記流路形成部材の厚さ寸法を、上記第２熱交換部材の厚さ寸法よりも低く設定した。
【０００８】
あるいは、給気側の気流を発生させる給気送風機と、排気側の気流を発生させる排気送風機と、を備え、上記給気送風機を上記給気流路の下流側に配設すると共に上記排気送風機を上記排気流路の下流側に配設して両吸込方式とし、さらに、上記第１熱交換部材の上記流路形成部材の厚さ寸法を、上記第２熱交換部材の厚さ寸法よりも高く設定した。
【発明の効果】
【０００９】
本発明は、次のような著大な効果を奏する。
本発明に係る全熱交換器は、熱交換仕切膜と流路形成部材とから成る熱交換部材を複数枚積層した対向流型のものであり、流路形成部材は、仕切膜の外縁に沿って配設される２つのフレーム部材と、その間の気流方向に所定間隔でもって配設されフレーム部材よりも小さい幅寸法の細リブ材とから成り、仕切膜のうち流路形成部材が当接する部分を除いた面積の、仕切膜の面積に対する面積比率を、70％以上、95％以下に設定したものなので、冬期暖房時、夏期冷房時のいずれの場合でも、顕熱交換効率が80％以上、かつ、潜熱交換効率が70％以上に改善し、また、圧力損失も少なくすることができる。このように、簡易な構成でありながら、熱交換を非常に効率よく行うことができ、省エネルギー化を図ることができる。そして、地球温暖化防止のために大きく貢献することができる。
【発明を実施するための最良の形態】
【００１０】
以下、実施の形態を示す図面に基づき、本発明を詳説する。
図１〜図６に示した本発明に係る全熱交換器の第１の実施の形態に於て、23は、全熱交換器本体であり、この全熱交換器本体23は、仕切膜１と仕切膜１に固着される流路形成部材２とから成る熱交換部材20を複数枚積層したものである。
そして、全熱交換器本体23は、その一方面及び他方面（図１では上面及び下面）に、積層方向から見て（後述するように）六角形状の補強用基板15，15が積層されて、対向流型全熱交換素子40が形成される。
熱交換部材20は、給気流路10が形成される第１熱交換部材20Ａと、排気流路11が形成される第２熱交換部材20Ｂと、を有している。そして、全熱交換器本体23は、第１熱交換部材20Ａと第２熱交換部材20Ｂを交互に積層して形成されて、給気側と排気側の２つの気流を流通させると共に、仕切膜１を介して２つの気流の顕熱及び潜熱を熱交換させる対向流型のものである。
【００１１】
各熱交換部材20について説明する。熱交換部材20は、矩形部（直角四角形部）35と、その両端に配設される三角形部34，34と、を有する長六角形に形成されている（図３参照）。
図４において、Ａは流路形成部材２により形成された給気流路10を流れる空気（給気空気）の流れを示し、Ｂは流路形成部材２により形成された排気流路11を流れる空気（排気空気）の流れを示す。
【００１２】
流路形成部材２は、仕切膜１の外縁に沿って配設される２つのフレーム部材３，３と、フレーム部材３, ３間に所定間隔でもって複数配設されると共にフレーム部材３の幅寸法Ｄ3 よりも小さい幅寸法Ｄ4 の細リブ材４…とから成る。
仕切膜１は、矩形部とその両側に連設される三角形部とにより六角形状に形成され（図10参照）、その輪郭は、平面視において、熱交換部材20の輪郭と一致している。
また、図４において、各フレーム部材３は、仕切膜１の矩形部35の外縁一辺に配設された直進部３ａと、一方の三角形部34の外縁一辺に沿って直進部３ａに連続状に配設された振り分け部３ｂとから成り、かつ、一対のフレーム部材３，３は、互いに点対称の位置に配設されている。また、細リブ材４…は、一対のフレーム部材３，３間に平行かつ等間隔の幅寸法Ｗ0 をもって、複数（実施例では７つ）配設されている。そして、各細リブ材４は、矩形部35に配設されフレーム部材３の直進部３ａと平行に形成された直進部４ａと、フレーム部材３の振り分け部３ｂに平行状であり直進部４ａの両端から開口端５，６まで延伸し三角形部34，34に配設された振り分け部４ｂ，４ｂとから成る。そして、第１熱交換部材20Ａに於ては、フレーム部材３・細リブ材４…の振り分け部３ｂ，４ｂ…が、一方の三角形部34の傾斜面18において、複数の給気入口32…（開口部14）を形成し、かつ、他方の三角形部34の傾斜面18において、複数の給気出口31…（開口部14）を形成する。また、第２熱交換部材20Ｂに於ては、フレーム部材３・細リブ材４…の振り分け部３ｂ，４ｂ…が、一方の三角形部34の傾斜面18において、複数の排気入口22…（開口部14）を形成し、かつ、他方の三角形部34の傾斜面18において、複数の排気出口21…（開口部14）を形成する。
【００１３】
そして、全熱交換器本体23は、給気空気と排気空気とが相互に平行かつ反対向きに流れる対向流部16を、矩形部35に有すると共に、給気空気と排気空気とが仕切膜１と直交する方向から見て（平面視にて）交差して流れる交差流部17，17を、三角形部34，34に有する。
そして、第１熱交換部材20Ａと第２熱交換部材20Ｂでは、フレーム部材３の振り分け部３ｂと、細リブ材４…の振り分け部４ｂ…とが、（長六角形の中央線に対し）線対称位置になるように配設されている。
【００１４】
即ち、第１熱交換部材20Ａと第２熱交換部材20Ｂを積層したものを平面視すると、三角形部34，34において、フレーム部材３・細リブ材４…の振り分け部３ｂ，４ｂ…が、交差状となる。また、両部材20Ａ，20Ａのフレーム部材３，３の直進部３ａ，３ａ同士、細リブ材４，４の直進部４ａ，４ａ同士は、夫々、長六角形の長手方向に一致して配置される。
そして、第１熱交換部材20Ａは、給気入口32が成す方向と、給気出口31が成す方向とが平行となり、また、第２熱交換部材20Ｂは、排気入口22が成す方向と、排気出口21が成す方向とが平行となる。即ち、各部材20Ａ，20Ｂは、フレーム部材３と細リブ材４とによって略（横倒）Ｚ字状の給気流路10、排気流路11が形成されている。
細リブ材４とフレーム部材３は、厚紙、プレスボード、その他樹脂材等から成る。
全熱交換器本体23の対向流部16は直方体であり、交差流部17は三角柱となっている。
【００１５】
また、フレーム部材３と細リブ材４…は同じ厚さ寸法（高さ寸法）Ｈを有し、第１の実施の形態では、第１熱交換部材20Ａ・第２熱交換部材20Ｂのフレーム部材３と細リブ材４…は同じ厚さ寸法（高さ寸法）Ｈに形成される（図１，図２，図５参照）。
後述の表１と表２に示した比較実験（測定）に使用した第１の実施の形態の各部材の寸法について説明すると、図３に於て、熱交換部材20を平面視したとき、矩形部35の給気流路10又は排気流路11の方向（長六角形の長手方向）の寸法Ｐ1 が 410〜 430mm（好ましくは420mm ）に、一対の三角形部34，34の端側の頂点同士の間隔寸法Ｐ2 が 760〜 800mm（好ましくは 780mm）に、矩形部35の給気流路10（又は排気流路11）に直交する方向の寸法Ｐ3 が 380〜400mm(好ましくは 390mm）に形成される。
また、図５に於て、各フレーム部材３の幅寸法Ｄ3 が10〜22mm（好ましくは18mm）に、各細リブ材４の幅寸法Ｄ4 が２〜５mm（好ましくは４mm）に形成され、さらに、フレーム部材３と細リブ材４の厚さ寸法Ｈが 1.7〜2.3mm(好ましくは２mm）に形成される。
そして、第１熱交換部材20Ａと第２熱交換部材20Ｂは、流路形成部材２の厚さ寸法を同じ大きさに形成した。即ち、この全熱交換器本体23を有する全熱交換素子40は、均一ピッチ方式の対向流型である。
【００１６】
そして、仕切膜１のうち流路形成部材２が当接する部分を除いた（有効伝熱）面積Ｓ1 （図11の白い部分）の、仕切膜１の面積Ｓ0 （図10参照）に対する（有効伝熱）面積比率Ｅが、70％以上、95％以下に設定される。
後述の表１・表２の比較実験（測定）に用いた第１の実施の形態を具体的に説明すると、図３〜図５、及び、図10，図11に於て、各熱交換部材20の仕切膜１において、矩形部35の上記寸法Ｐ1 を420mm に、かつ、一対の三角形部34，34の頂点同士の上記寸法Ｐ2 を 780mmに、かつ、矩形部35の上記寸法Ｐ3 を 390mmに形成し、さらに、７つの細リブ材４…の各幅寸法Ｄ4 を４mmに、フレーム部材３の幅寸法Ｄ3 を18mmに形成すると、仕切膜１の面積Ｓ0 が2418cm2 で、仕切膜１のうち流路形成部材２が当接する部分を除いた面積Ｓ1 が 480cm2 であるため、上記面積比率Ｅは約80％となる。この具体例のように、各部材の寸法Ｐ1 ，Ｐ2 ，Ｐ3 ，Ｄ3 ，Ｄ4 は、面積比率Ｅが70％以上95％以下となるように、上述した範囲内で設定される。
【００１７】
なお、仕切膜１の材質は、特殊紙（セルロース繊維と合成繊維の混紙）の表層にセルロース系高分子薄膜を形成した透湿性と気体遮蔽性を有する透湿膜が使用される。例えば、親水性繊維を含有する多孔質シートに、親水性高分子（例えば、ビスコースから再生されたセルロース）を含有する水溶液を塗布し、多孔質シートの表面や内部で上記の親水性高分子を水不溶化させてシートの孔を塞いだ親水性高分子加工シートが好ましい。その他にも、仕切膜１として、ポリエチレン、ポリプロピレン、酢酸セルロース、ポリテトラフルオロエチレン等を素材とする多孔質シートの表面に親水性高分子の薄膜を塗布した透湿膜を用いてもよい。
【００１８】
図６は、本発明の使用状態の一例を示す図であり、室内Ｘと屋外Ｙとを分ける壁Ｚには、内部に全熱交換素子40を備えたケーシング25が付設されている。また、ケーシング25内には、給気送風機12と排気送風機13とが設けられ、室内Ｘ側の吸込口26ａと屋外Ｙ側の吸込口26ｂ近傍には、フィルタ24が取付けられている。給気送風機12は、給気流路10の下流側に配設されると共に、排気送風機13は、排気流路11の下流側に配設されて、この全熱交換器は両吸込方式に形成される。なお、ケーシング25内で、給気空気と排気空気を混在させず全熱交換素子40を通過させるために複数個の間仕切板27…が設けられる。
なお、一方の送風機を全熱交換素子40の風上側に設置し、かつ、他方の送風機を全熱交換素子40の風下側に設置すると、前者は空気（気流）を熱交換部材20の流路内に押し込むように流入させ、後者は、空気（気流）を熱交換部材20の流路内から吸引するため、仕切膜１の両側に大きな静圧差が発生して変形が生じてしまい、圧力損失が増大するので、不適当であるため、本実施例では両吸込方式とした。
【００１９】
次に、対向流型全熱交換素子40を形成する手順について説明する。
図２に於て、補強用基板15は、積層方向から見て仕切膜１と同形状を有し、厚さが２〜20mmのプラスチック板や金属板あるいは木板から成り、基板15の各頂点部位Ｃには、孔部19が設けられている。
そして、一対の基板15，15を、複数の熱交換部材20…を挟むように配設し、各熱交換部材20の頂部に形成された孔部29を貫通状として、補強棒28にて連結する。具体的には、一方の基板15の各頂点部位Ｃの孔部19に、補強棒28の一端部を嵌込み、そして、各熱交換部材20を、その流路形成部材２（フレーム部材３）の孔部29をもって、補強棒28に貫通させる。このように、複数の熱交換部材20…を次々に積層して補強棒28に通し、かつ、補強棒28の他端部に、他方の基板15の孔部19に嵌込む。そして、補強棒28の両端部は、ねじ止めや、接着剤による接着や、融着等により、基板15，15に固定される。補強棒28は、アルミ、鉄、ステンレス等の金属、あるいは樹脂にて形成される。
なお、図１は簡略図であり、全熱交換素子40は、給気流路10を有する第１熱交換部材20Ａと、排気流路11を有する第２熱交換部材20Ｂとを、交互に 150〜 250段、好ましくは約 200段積層されている。
【００２０】
次に、図７は本発明に係る全熱交換器の第２の実施の形態を示し、第１の実施の形態との相違点は、細リブ材４…が、（三角形部34，34の）開口端５, ６まで端部７ａが延伸する長寸部材７と、開口端５, ６より内方に端部８ａが設けられた短寸部材８と、を有し、隣り合う細リブ材４, ４によって形成される風路幅Ｗ0 よりも大きい風路幅Ｗ9 の拡大流路部９を開口端５，６に設けられている点であり、面積比率Ｅが75％以上、95％以下に設定される。この全熱交換素子40も、全ての熱交換部材20の流路形成部材２の厚さ寸法が等しい、均一ピッチ方式のものである。
具体的には、長寸部材７は、図４の細リブ材４と同じように形成され、短寸部材８は、その両端部８ａ，８ａが、開口端５，６から20〜40mm内側の位置となる。そして、各熱交換部材20は、長寸部材７と短寸部材８とが交互に配設されている。そして、拡大流路部９は、隣り合う長寸部材７，７の端部７ａ，７ａ近傍部位により形成される。
この熱交換部材20を有する対向流型全熱交換素子40によれば、有効伝熱面積Ｓ1 が第１の実施の形態のものに比べて増えて面積比率Ｅが大きくなり、圧力損失が減少する（後述の表１参照）。
なお、隣り合う長寸部材７，７の間に、２つの短寸部材８，８が配設されるように設計変更するも自由である。
【００２１】
次に、図８は本発明に係る全熱交換器の第３の実施の形態を示し、第１の実施の形態との相違点は、第１熱交換部材20Ａと第２熱交換部材20Ｂにおいて、流路形成部材２の厚さ寸法Ｈ1 , Ｈ2 を相違させた点であり、即ち、この全熱交換素子40は、複合ピッチ方式の対向流型である。具体的には、第１熱交換部材20Ａの流路形成部材２の厚さ寸法Ｈ1 が、第２熱交換部材20Ｂの厚さ寸法Ｈ2 よりも小さく設定されている。また、給気送風機12と排気送風機13は、同じ送風量に設定される。
表１・表２に示す測定用実施品では、寸法については、Ｈ1 を 1.7mmに設定し、Ｈ2 を 2.3mmに設定する。また、図８は簡略図であり、全熱交換素子40は、第１熱交換部材20Ａと熱交換部材20Ｂとを交互に 150〜 250段、好ましくは約 200段積層して形成される。
そして、後述するが、この対向流型全熱交換素子40によれば、顕熱交換効率が90％以上、全熱交換効率が80％以上となる（表１，表２参照）。
【００２２】
次に、図９は本発明に係る全熱交換器の第４の実施の形態を示し、図８のものとの相違点は、第１熱交換部材20Ａの流路形成部材２の厚さ寸法Ｈ1 を、第２熱交換部材20Ｂの厚さ寸法Ｈ2 よりも大きく形成した点である。
表１・表２に示す測定用実施品では、Ｈ1 を 2.3mmに設定し、Ｈ2 を 1.7mmに設定する。
そして、後述するが、この対向流型全熱交換素子40によれば、有効換気量率が98％以上となる。
【００２３】
次に、本発明の全熱交換器の上記素子に対し、以下説明する比較例１、比較例２の素子を形成して、熱交換効率の比較を行う。
先ず、比較例１の全熱交換素子は図12の簡略図に示した通りであり、上述の特許文献１と同じ直交流型全熱交換素子である。即ち、この直交流型全熱交換素子は、仕切膜41と仕切膜41に貼り合わされた波板状流路形成部材42とから成る熱交換部材43を、流路形成部材42の向きが交互に直交するように積層したものである。仕切膜41は、図１〜図５で説明したものと同じ材質から成り、一辺が 500mmの正方形に形成されている。また、流路形成部材42は剛性の大きなクラフト紙をコルゲート（波状）加工したものであり、その高さ（厚さ）寸法を 2.0mmに、隣り合う山辺部同士の間隔寸法を 2.5mmに、山辺部又は谷辺部と仕切膜41との接着幅を１mmに形成した。そして、熱交換部材43を 200段積層して、直交流型全熱交換素子を形成した。この場合、仕切膜41の面積が2500cm2 であり、接着部の全面積は1000cm2 なので、有効伝熱面積は1500cm2 となり、仕切膜41の全面積に対する伝熱面積比率は60％である。
次に、比較例２については、図１〜図５で説明した全熱交換器本体23とは、仕切膜１の材質が厚さ約 100ミクロンの（市販の）ポリプロピレンシートから成る点でのみ相違し、それ以外の構造は同じである。
【００２４】
次に、本発明の全熱交換器の作用について説明する。図４，図６において、給気送風機12と排気送風機13を、同じ送風量となるように作動させることで、屋外Ｙの空気（給気空気）が、給気入口32から給気流路10内へ入り、給気出口31から室内Ｘへ送られる。また、室内Ｘの空気（排気空気）が、排気入口22から排気流路11内へ入り、排気出口21から屋外Ｙへ排出される。
このとき、対向流部16では、給気流路10を通過する空気と排気流路11を通過する空気とが相互に平行かつ反対向きに流れ、（仕切膜１と直交する方向から見て）交差流部17，17では、交差して流れる。そして、全熱交換素子40内では、給気流路10を通過する給気空気と排気流路11を通過する排気空気との間で、仕切膜１を介して全熱交換が行われる。
【００２５】
そして、上述の第１〜第４の実施の形態、及び、比較例１，比較例２の全熱交換素子において、顕熱交換効率、潜熱交換効率、全熱交換効率、及び、圧力損失の測定結果を、表１，表２に示した。表１は、ＪＩＳ−Ｂ8628に規定された冬期暖房時の空気条件における測定結果であり、表２は同じ規定の夏期冷房時の空気条件における測定結果である。なお、熱交換効率の測定は、新鮮外気の給気が重要であり、これを重視するために、給気側のデータを測定した。
【００２６】
【表１】
2008070070.tif 000003
【００２７】
【表２】
2008070070.tif 000004
【００２８】
表１，表２によれば、第１〜第４の実施の形態の全熱交換素子は、顕熱交換効率が80％以上に、かつ、潜熱交換効率が70％以上になり、また、全熱交換効率が、冬期暖房時で80％以上に、夏期冷房時で75％以上になり、いずれも、高い数値を示しており、高性能であることが明らかになった。また、圧力損失については60Ｐａ以下で低い数値を示した。
これに対し、比較例１の直交流型全熱交換素子は、顕熱交換効率、潜熱交換効率、及び、全熱交換効率のいずれもが50〜60％になり、低い数値を示した。また、圧力損失が 120Ｐａとなり、高い数値を示した。
また、比較例２の全熱交換素子は、全熱交換効率が、冬期暖房時で52％に、夏期冷房時で20％となり、性能が低い。
【００２９】
次に、第３・第４の実施の形態の複合ピッチ方式の全熱交換素子（以下、「複合ピッチ素子」とよぶ）の顕熱交換効率と全熱交換効率が、第１・第２の実施の形態の均一ピッチ方式の全熱交換素子（以下、「均一ピッチ素子」とよぶ）に比べ、表１，表２に示したように、高い数値になった理由について考察する。
図１〜図５で説明したように、均一ピッチ素子の流路形成部材２（フレーム部材３及び細リブ材４）の厚さ寸法Ｈは、全ての熱交換部材20において均一である。
一方、複合ピッチ素子は、図８，図９で説明したように、全ての仕切膜１…の枚数は均一ピッチ素子の仕切膜１…の枚数と同じであり、各熱交換部材20の有効伝熱面積Ｓ1 も同じ大きさとなるが、複合ピッチ素子の隣り合う流路形成部材２Ａ，２Ｂの厚さ寸法は、Ｈ1 ＜Ｈ2 、又は、Ｈ2 ＜Ｈ1 の関係で不均一である。
そして、図８において、複合ピッチ素子における熱交換のプロセスについて述べると、一方の気流（給気流路10）から仕切膜１に顕熱及び潜熱が伝熱し、仕切膜１から他方の気流（排気流路11）に顕熱及び潜熱が伝熱する場合の熱交換メカニズムとして、(i) 二種の気流が仕切膜１と接触している時間と、(ii)仕切膜１の表面における熱伝達速度と、が重要となる。
【００３０】
ここで、一般的に、熱交換効率は、基本的に空気と仕切膜１の接触時間によって変化し、気流の速度が遅くなるほど熱交換効率は高くなり、反対に、気流の速度が早くなるほど熱交換効率は低くなる。また、仕切膜１の表面における熱伝達速度は風速によって変化し、高速度になるほど乱流効果（攪拌効果）の影響が大きくなり、熱伝達速度は大きくなる。
そして、給気送風機12と排気送風機13が同じ量の送風運転をすると、複合ピッチ素子では、一方の気流速度に比べ、他方の気流速度が速くなる。遅い速度の気流側では、上記メカニズム(i) が大きく関係し、また、速い気流側では、上記メカニズム(ii)が大きく関係するものと考えられる。即ち、遅い気流側では、気流から仕切膜１への伝熱は、気流の仕切膜１への接触時間が比較的に長いため多くの顕熱及び潜熱が仕切膜１へ伝達される。また、速い気流側では、高風速による乱流効果が大きく働き、仕切膜１から他方の気流に顕熱及び潜熱が効率的に伝達されたと考えられ、表１，表２に示したように、複合ピッチ素子の方が、均一ピッチ素子よりも高性能となったと考えられる。具体的には、図８の第３の実施の形態では、給気流路10…が狭く高風速側となるので、上記メカニズム(ii)が大きく関係し、給気側で高風速による乱流効果が大きく働き、仕切膜１から給気に顕熱及び潜熱が効率よく伝達されたため、給気側の熱交換効率が、表１，表２から明らかなように、第４の実施の形態のものよりも高くなったと考えられる。
【００３１】
以上のように、本発明に係る全熱交換器は、仕切膜１と仕切膜１に固着された流路形成部材２とから成る熱交換部材20を複数枚積層して、仕切膜１を隔てて給気側と排気側の２つの気流を流通させると共に、仕切膜１を介して２つの気流の顕熱及び潜熱を熱交換させる対向流型全熱交換器に於て、流路形成部材２は、仕切膜１の外縁に沿って配設されるフレーム部材３と、２つのフレーム部材３, ３間に所定間隔でもって配設されると共にフレーム部材３よりも小さい幅寸法Ｄ4 の細リブ材４とから成り、さらに、仕切膜１のうち流路形成部材２が当接する部分を除いた面積Ｓ1 の、仕切膜１の面積Ｓ0 に対する面積比率Ｅを、70％以上、95％以下に設定したものなので、冬期暖房時、夏期冷房時のいずれの場合でも、顕熱交換効率が80％以上、かつ、潜熱交換効率が70％以上の高い数値になり、また、圧力損失を60Ｐａ以下へと、低い数値にすることができる。このように、簡易な構成でありながら、熱交換を非常に効率よく行うことができ、省エネルギー化を図ることができる。そして、地球温暖化防止のために大きく貢献することができる。
【００３２】
また、細リブ材４は、開口端５, ６まで端部７ａが延伸する長寸部材７と、開口端５, ６より内方に端部８ａが設けられた短寸部材８と、を有して、隣り合う細リブ材４, ４によって形成される風路幅Ｗ0 よりも大きい拡大流路部９を開口端５，６に設け、面積比率Ｅを75％以上、95％以下に設定したものなので、簡易な構成でありながら、全ての細リブ材４…を長寸部材７とする場合よりも、有効伝熱面積が大きくなることから顕熱交換効率及び潜熱交換効率を一層高い数値にすることができると共に、圧力損失を一層減少させることができる。
【００３３】
また、熱交換部材20は、給気流路10が形成される第１熱交換部材20Ａと、排気流路11が形成される第２熱交換部材20Ｂと、を有し、さらに、第１熱交換部材20Ａと第２熱交換部材20Ｂとは、流路形成部材２の厚さ寸法Ｈ1 , Ｈ2 を相違させたので、給気送風機12と排気送風機13から同じ送風量を送ることによって、給気流路10を通過する給気空気と、排気流路11を通過する排気空気の速さが相違する。これにより、全ての熱交換部材20…の流路形成部材２…の厚さ寸法Ｈが同じである場合に比べて、顕熱交換効率、潜熱交換効率、全熱交換効率を上昇させることができ、簡易な構成でありながら、一層大きな省エネルギー効果を発揮することができる。
【００３４】
また、給気側の気流を発生させる給気送風機12と、排気側の気流を発生させる排気送風機13と、を備え、給気送風機12を給気流路10の下流側に配設すると共に排気送風機13を排気流路11の下流側に配設して両吸込方式とし、さらに、第１熱交換部材20Ａの流路形成部材２の厚さ寸法Ｈ1 を、第２熱交換部材20Ｂの厚さ寸法Ｈ2 よりも低く設定したので、給気流路10を通過する給気空気を、排気流路11を通過する排気空気よりも速く通過させることができる。これにより、顕熱交換効率を90％以上に、かつ、全熱交換効率を80％以上にできる。よって、簡易な構成でありながら、効率よく省エネルギー化を図ることができる。
【００３５】
また、給気側の気流を発生させる給気送風機12と、排気側の気流を発生させる排気送風機13と、を備え、給気送風機12を給気流路10の下流側に配設すると共に排気送風機13を排気流路11の下流側に配設して両吸込方式とし、さらに、第１熱交換部材20Ａの流路形成部材２の厚さ寸法Ｈ1 を、第２熱交換部材20Ｂの厚さ寸法Ｈ2 よりも高く設定したので、排気流路11を通過する排気空気を、給気流路10を通過する給気空気よりも速く通過させることができる。これにより、有効換気量率を98％以上にすることができるので、非常に効率よく換気を行うことができ、簡易な構成でありながら、効率よく省エネルギー化を図ることができる。  
【図面の簡単な説明】
【００３６】
【図１】本発明の全熱交換器の第１の実施の形態を示す簡略斜視図である。
【図２】分解簡略斜視図である。
【図３】平面図である。
【図４】全熱交換素子の断面平面図である。
【図５】図４のイ−イ断面図である。
【図６】使用状態の一例を示す断面平面図である。
【図７】本発明の全熱交換器の第２の実施の形態を示す断面平面図である。
【図８】本発明の全熱交換器の第３の実施の形態を示す簡略側面図である。
【図９】本発明の全熱交換器の第４の実施の形態を示す簡略側面図である。
【図１０】仕切膜を示す平面図である。
【図１１】説明用平面図である。
【図１２】従来の直交流型熱交換素子を示す斜視図である。
【符号の説明】
【００３７】
１  仕切膜
２  流路形成部材
３  フレーム部材
４  細リブ材
５  開口端
６  開口端
７  長寸部材
７ａ  端部
８  短寸部材
８ａ  端部
９  拡大流路部
10  給気流路
11  排気流路
12  給気送風機
13  排気送風機
20  熱交換部材
20Ａ  第１熱交換部材
20Ｂ  第２熱交換部材
23  全熱交換器本体
40  全熱交換素子
Ｄ4 幅寸法
Ｅ  面積比率
Ｈ1 ，Ｈ2 厚さ寸法
Ｓ0 ，Ｓ1 面積
Ｗ0 幅寸法
【図１】
2008070070.tif 000005
【図２】
2008070070.tif 000006
【図３】
2008070070.tif 000007
【図４】
2008070070.tif 000008
【図５】
2008070070.tif 000009
【図６】
2008070070.tif 000010
【図７】
2008070070.tif 000011
【図８】
2008070070.tif 000012
【図９】
2008070070.tif 000013
【図１０】
2008070070.tif 000014
【図１１】
2008070070.tif 000015
【図１２】
2008070070.tif 000016